(57)【要約】【課題】液晶表示素子が表示用データに応答している期間のみにバックライトに照明させる液晶表示装置において、液晶表示素子への書き込み不足が生じさせない。【解決手段】ＯＣＢモード液晶を使用した液晶表示パネル１０を有し、１フィールド期間を、黒書き込み期間、表示データ書き込み期間、表示データＨＯＬＤ期間に分け、黒書き込み期間に逆転移防止用の黒色データを書き込み、表示データ書き込み期間に表示用データを書き込み、表示データＨＯＬＤ期間内の一部の期間にバックライト１１を点灯させる液晶表示装置であって、ゲートドライバ１３は、ソースドライバ１２が表示用データを液晶表示素子に書き込む際には、各走査線に対する各ゲート信号のＯＮ期間を互いに同じにし、ソースドライバ１２が逆転移防止用の黒色データを書き込む際には、各走査線に対する各ゲート信号のＯＮ期間を、表示用データ書き込み時の各ゲート信号のＯＮ期間よりも長くする。【選択図】図１
2007163703.tif 000002
【特許請求の範囲】
【請求項１】
マトリックス状に配置された信号線および走査線、および前記信号線および前記走査線の交点に設けられたＯＣＢモード液晶を使用した液晶表示素子を有する液晶表示パネルと、
少なくとも１つ前の１フィールドまたは１フレーム分の表示データを一時蓄積するフレームメモリと、
前記走査線にゲート信号を供給するゲートドライバと、
１フィールドまたは１フレームの期間内に順に設けられた、黒書き込み期間、表示データ書き込み期間、および表示データＨＯＬＤ期間のうち、前記黒書き込み期間には、黒色データに対応する電圧を前記信号線に供給し、前記表示データ書き込み期間には、前記フレームメモリに一時蓄積しておいた前のフィールドまたはフレームの表示データに対応する電圧を前記信号線に供給するソースドライバと、
前記ゲート信号がＯＮされない状態としておく前記表示データＨＯＬＤ期間のうちの、一部の期間にのみ前記液晶表示パネルを照明する、前記液晶表示パネルの背面に配置されたバックライトとを備えた液晶表示装置であって、
前記ゲートドライバは、前記表示データ書き込み期間に前記ソースドライバが前記表示データに対応する電圧を供給する際には、前記各走査線に対する前記各ゲート信号をＯＮにする期間を互いに同じになるようにし、前記黒書き込み期間に前記ソースドライバが前記黒色データに対応する電圧を供給する際には、前記各走査線に対する前記各ゲート信号をＯＮにする期間が、前記表示データに対応する電圧を供給する際の前記各走査線に対する前記各ゲート信号をＯＮにする前記期間よりも長くなるようにする、液晶表示装置。
【請求項２】
前記黒書き込み期間に前記ソースドライバが前記黒色データに対応する電圧を供給する際に、前記ゲートドライバが前記各走査線に対する前記各ゲート信号をＯＮにする期間は、少なくとも前記液晶表示素子が逆転移しないために必要な所定電圧値まで充電できる期間であり、
前記ゲートドライバは、前記各液晶表示素子について、前記黒書き込み期間に前記黒色データに対応する電圧が供給された後、前記表示データ書き込み期間に前記表示データに対応する電圧が供給されるまでの期間が、少なくともいずれの前記液晶表示素子についても逆転移しない所定期間以上となるように、前記黒書き込み期間において前記各走査線の前記各ゲート信号を順にＯＮにしていく、請求項１に記載の液晶表示装置。
【請求項３】
前記黒書き込み期間に前記ソースドライバが前記黒色データに対応する電圧を供給する際に、前記ゲートドライバが前記各走査線に対する前記各ゲート信号をＯＮにする期間は、少なくとも前記液晶表示素子が逆転移しないために必要な所定電圧値まで充電できる期間であり、
前記ゲートドライバは、前記各液晶表示素子について、前記黒書き込み期間に前記黒色データに対応する電圧が供給された後、前記表示データ書き込み期間に前記表示データに対応する電圧が供給されるまでの期間が、少なくともいずれの前記液晶表示素子についても逆転移しない所定期間以上となるように、前記黒書き込み期間において前記各走査線の前記各ゲート信号を同時にＯＮにする、請求項１に記載の液晶表示装置。
【請求項４】
前記ゲートドライバは、前記黒書き込み期間に前記ソースドライバが前記黒色データに対応して供給する電圧の極性が、その直前の前記表示データ書き込み期間に前記ソースドライバが前記表示データに対応して供給する電圧の極性から反転する場合にのみ、その前記黒書き込み期間における前記各走査線に対する前記各ゲート信号をＯＮにする期間を、前記表示データに対応する電圧を供給する際の前記各走査線に対する前記各ゲート信号をＯＮにする前記期間よりも長くする、請求項１に記載の液晶表示装置。
【請求項５】
マトリックス状に配置された信号線および走査線、および前記信号線および前記走査線の交点に設けられたＯＣＢモード液晶を使用した液晶表示素子を有する液晶表示パネルと、少なくとも１つ前の１フィールドまたは１フレーム分の表示データを一時蓄積するフレームメモリと、前記走査線にゲート信号を供給するゲートドライバと、１フィールドまたは１フレームの期間内に順に設けられた、黒書き込み期間、表示データ書き込み期間、および表示データＨＯＬＤ期間のうち、前記黒書き込み期間には、黒色データに対応する電圧を前記信号線に供給し、前記表示データ書き込み期間には、前記フレームメモリに一時蓄積しておいた前のフィールドまたはフレームの表示データに対応する電圧を前記信号線に供給するソースドライバと、前記ゲート信号がＯＮされない状態としておく前記表示データＨＯＬＤ期間のうちの、一部の期間にのみ前記液晶表示パネルを照明する、前記液晶表示パネルの背面に配置されたバックライトとを備えた液晶表示装置の駆動方法であって、
前記表示データ書き込み期間に前記ソースドライバが前記表示データに対応する電圧を供給する際の、前記各走査線に対する前記各ゲート信号をＯＮにする期間を互いに同じになるようにし、
前記黒書き込み期間に前記ソースドライバが前記黒色データに対応する電圧を供給する際の、前記各走査線に対する前記各ゲート信号をＯＮにする期間を、前記表示データに対応する電圧を供給する際の前記各走査線に対する前記各ゲート信号をＯＮにする前記期間よりも長くなるようにする、液晶表示装置の駆動方法。
【発明の詳細な説明】
【技術分野】
【０００１】
本発明は、ＯＣＢモード液晶を用いた液晶表示装置および液晶表示装置の駆動方法に関する。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの液晶表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図６は、ＯＣＢモードの液晶表示素子が有する液晶分子の配向状態を模式的に示した断面図である。図６（ａ）および図６（ｂ）は、電圧印加状態を示した断面図であり、図６（ｃ）は、電圧無印加状態を示した断面図である。
【０００５】
ＯＣＢモードの液晶表示素子を用いた液晶表示装置を構成する液晶表示パネルのガラス基板６１の間には、図６（ａ）等に液晶分子６２として示すように、ネマチック液晶が注入されている。そして、電圧を印加していない液晶の配向状態は、スプレイ状態６３と呼ばれている。ＯＣＢモードの液晶表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図６（ｃ）に示すスプレイ状態６３から図６（ａ）、図６（ｂ）に示すベンド状態６４ａ、６４ｂに転移させる駆動のことである。このベンド状態６４ａ、６４ｂを用いて表示を行うのが、ＯＣＢモードの液晶表示素子を用いた液晶表示装置の特徴であり、電圧の大きさによってベンド状態を変化させることにより、パネルの透過率を変化させるものである。
【０００６】
図６（ａ）に示すベンド状態６４ａは、白表示をしている場合のベンド状態を示し、図６（ｂ）のベンド状態６４ｂは、黒表示をしている場合のベンド状態を示している。
【０００７】
また、ＯＣＢモードの液晶表示素子を用いた液晶表示装置では、その液晶表示パネルに２ボルト以下の電圧を印加し続けると、液晶の配向状態は、ベンド状態６４ａ、６４ｂからスプレイ状態６３に徐々に移行してしまう（以下この移行を逆転移と呼ぶ）。このような逆転移を防止するために、ＯＣＢモードの液晶表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号とは別に黒色に対応する電圧を印加することにより、逆転移を防止する駆動である。逆転移防止駆動には、逆転移の防止のために画素に黒色に対応する電圧を印加する動作と、映像信号に対応する電圧を印加する動作とを交互に行う、２倍速変換と呼ばれる逆転移防止駆動がある（例えば、特許文献１参照）。
【０００９】
従って、従来のＯＣＢモードの液晶表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【００１０】
図７に、従来のＯＣＢモードの液晶表示素子を用いた液晶表示装置の構成を示す。
【００１１】
この液晶表示装置は、液晶表示パネル１１０、バックライト１１１、ソースドライバ１１２、ゲートドライバ１１３、コントローラ１１４、入力電源１１６、および液晶駆動電圧発生回路１１７を備えている。
【００１２】
液晶表示パネル１１０は、信号線と走査線がマトリックス状に配置され、それらの交点にＯＣＢモードの液晶表示素子が設けられている液晶表示パネルである。
【００１３】
バックライト１１１は、液晶表示パネル１１０の背面に配置されており、複数の冷陰極管で液晶表示パネル１１０を照明する。
【００１４】
入力電源１１６は、バックライト１１１、コントローラ１１４および液晶駆動電圧発生回路１１７に電力を供給し、液晶駆動電圧発生回路１１７は、表示データを液晶表示パネル１１０に表示させるタイミングに応じて、ソースドライバ１１２およびゲートドライバ１１３に供給する電圧を調整する。
【００１５】
ゲートドライバ１１３は、液晶表示パネル１１０の走査線にゲート信号を供給し、ソースドライバ１１２は、液晶表示パネル１１０の信号線に表示用信号に対応する電圧を供給する。
【００１６】
コントローラ１１４は、信号処理部１２１、ラインメモリ１２２、およびタイミング制御部１２３を備えており、ソースドライバ１１２は、Ｄ／Ａ変換部１２４およびシフトレジスタ１２５を備えている。
【００１７】
次に、このような従来の液晶表示装置の動作を説明する。
【００１８】
液晶表示装置の電源が入れられた際には、液晶表示パネル１１０の液晶層は、図６（ｃ）に示すようにスプレイ状態６３のままであるので、図６（ａ）のベンド状態６４ａや図６（ｂ）のベンド状態６４ｂに転移させる必要がある。そこで、液晶表示装置の電源が入れられた際には、液晶表示装置は、液晶層をスプレイ状態からベンド状態に転移させるために転移駆動を行う。すなわち、ソースドライバ１１２は、画素電極と共通電極との間の電圧が所定の時間だけ２０ボルトから２５ボルトという映像を表示する際の電圧よりも高い電圧になるように、転移駆動のための電圧として、信号線に２０ボルトから２５ボルトの電圧を印加する。従って、液晶層には転移駆動のための電圧が所定時間印加されることになるので、液晶表示パネル１１０の液晶層は、スプレイ状態からベンド状態に転移し、液晶表示装置の表示動作が可能となる。
【００１９】
上記のように転移駆動が完了し、表示動作が可能になると、液晶表示装置は表示動作を開始する。
【００２０】
ＲＧＢデータである映像信号が信号処理部１２１に入力されると、信号処理部１２１は、入力された映像信号に対して階調補正やガンマ補正処理を行なうとともに、１水平期間のデータ毎に、１水平期間の前側が黒挿入用の黒色データ、後ろ側が２倍速の映像信号となるように変換して、ラインメモリ１２２に格納していく。
【００２１】
そして、コントローラ１１４のタイミング制御部１２３は、映像信号に含まれる表示信号が入力開始されるタイミングに合わせて、ラインメモリ１２２に格納された１行画素分のデータを、ソースドライバ１１２のシフトレジスタ１２５へ転送させていく。
【００２２】
また、コントローラ１１４のタイミング制御部１２３は、液晶表示装置が表示動作を行う際には、外部から入力される映像信号に応じて、ゲートドライバ１１３、ソースドライバ１１２にそれぞれ制御信号を送る。その結果、ゲートドライバ１１３は、各走査線に走査信号電圧を印加して各画素のスイッチング素子を順次オンさせる。
【００２３】
表示期間には、ソースドライバ１１２は、ゲートドライバ１１３が各走査線に走査信号電圧を印加するタイミングに合わせて、信号線を通じて映像信号に応じた電圧を各画素の画素電極に印加する。これにより液晶表示パネル１１０の液晶分子６２が変調され、バックライト１１１から出射される光の透過率が変化する。その結果、ユーザの目に映像信号に対応する画像が映る。
【００２４】
また、黒挿入期間には、ソースドライバ１１２は、ゲートドライバ１１３が各走査線に走査信号電圧を印加するタイミングに合わせて、信号線を通じて黒色に対応する電圧を各画素の画素電極に印加する。これにより液晶表示パネル１１０の液晶分子６２が変調され、バックライト１１１から出射される光の透過率が変化する。その結果、ユーザの目に黒色の映像が映る。
【００２５】
図８は、図７に示した従来の液晶表示装置における２倍速変換による逆転移防止駆動時の、映像信号、２倍速信号、およびゲートパルスのタイミングチャートの一例を示している。
【００２６】
ＲＧＢデータで入力される映像信号に対して、１水平期間（１Ｈ期間）毎に、その１Ｈ期間の前側に逆転移防止用の黒色の階調のデータが、後ろ側に映像信号を２倍速に変換した表示用データが、それぞれ格納されるように、ソースドライバ１１２のシフトレジスタ１２５に格納していく。なお、図８の斜線で示す部分は、逆転移防止用の黒色の階調のデータを示している。
【００２７】
１Ｈ期間毎に、シフトレジスタ１２５には、これらの１行画素分のデータが順次入力されていき、ソースドライバ１１２からは１行画素分のデータが同時に出力されていく。したがって、図８に示すように、入力される映像信号に対して、１Ｈ期間遅れたタイミングでソースドライバ１１２から出力されていく。
【００２８】
図８のＧ１〜Ｇ１０は、ゲートドライバ１１３から各ゲート線に出力されるゲート信号を示している。各ゲート信号の右側に示す符号は、各ゲート信号がハイになるタイミングに画像セルに書き込まれる表示用データまたは黒色の挿入用データ（Ｂ）の種別を示している。
【００２９】
表示用データＳ１がソースドライバから出力されるタイミングに、ゲート線Ｇ１のゲート信号がハイになり、ゲート線Ｇ１上の画像セルに表示用データＳ１が書き込まれる。次に、表示用データＳ１と表示用データＳ２との間に挿入された黒色の挿入用データがソースドライバから出力されるタイミングに、ゲート線Ｇ７のゲート信号がハイになり、ゲート線Ｇ７上の画像セルに黒色の挿入用データが書き込まれる。次に、表示用データＳ２がソースドライバから出力されるタイミングに、ゲート線Ｇ２のゲート信号がハイになり、ゲート線Ｇ２上の画像セルに表示用データＳ２が書き込まれる。次に、表示用データＳ２と表示用データＳ３との間に挿入された黒色の挿入用データがソースドライバから出力されるタイミングに、ゲート線Ｇ８のゲート信号がハイになり、ゲート線Ｇ８上の画像セルに黒色の挿入用データが書き込まれる。以下同様にして、各ゲート線のゲート信号がハイになるタイミングにあわせて、表示用データまたは黒色の挿入用データが各画素セルに書き込まれていく。
【００３０】
このように、各ゲート線Ｇ１〜Ｇ１０が１フィールド期間にそれぞれ２回ずつ選択され、各ゲート線Ｇ１〜Ｇ１０上の画素セルには、表示用データと黒色の挿入用データが１回ずつ書き込まれる。したがって、表示用データを書き込む一方で周期的に黒色の挿入用データを書き込む逆転移防止駆動を実現することができる。
【００３１】
この結果、図８に示す例では、映像表示期間Ｔ１と黒色挿入期間Ｔ２との比率が９：１１に設定されることになる。各ゲート線Ｇ１〜Ｇ１０のゲート信号の、表示用データを書き込むゲートパルスと黒色の挿入用データを書き込むゲートパルスのタイミングを変化させることにより、映像表示期間Ｔ１と黒色挿入期間Ｔ２との比率を調整して挿入する黒色データの比率を調整していた。
【００３２】
図８に示すように、１フィールド期間の全期間にわたって、各ゲート線Ｇ１〜Ｇ１０上の各画素セルに順に表示用データが書き込まれていくため、バックライト１１１は、１フィールドの全期間にわたって、点灯と消灯とを交互に繰り返して液晶表示パネル１１０を照明する。バックライト１１１は、ＰＷＭ（Ｐｕｌｓｅ  Ｗａｖｅ  Ｍｏｄｕｌａｔｉｏｎ）制御を用いて点灯と消灯との比率が調整されることにより、バックライト１１１が液晶表示パネル１１０を照明する際の明るさが制御される。
【００３３】
したがって、この従来の方法では、逆転移防止用に書き込んだ黒色データに対しても、バックライト１１１で照明させて表示用データと共に表示させていた。
【００３４】
最近では、さらに応答速度の速いＯＣＢモードの液晶表示素子が開発され、また短残光型の冷陰極管も開発されてきたので、動画視認性を向上させるために、液晶表示素子が表示用データに応答している期間のみにバックライトに照明させる方式で表示させることも可能になってきた。
【００３５】
図９は、この、液晶表示素子が表示用データに応答している期間のみにバックライトに照明させる方式を実現する液晶表示装置の構成を示している。
【００３６】
図７に示す液晶表示装置と同じ構成部分には、同じ符号を用いている。図９の液晶表示装置は、構成としては、図７に示す液晶表示装置の構成からラインメモリ１２２が削除され、フレームメモリ１１５が追加されている点が異なる。また、コントローラ１１４のタイミング制御部１３３の制御方法、およびタイミング制御部１３３がバックライトのＯＮ／ＯＦＦ制御を行う点が、図７の液晶表示装置とは異なる。
【００３７】
図１０は、図９に示す液晶表示装置で、液晶表示素子が表示用データに応答している期間のみにバックライトに照明させる方式を実現する際の動作を説明するタイミングチャートを示している。
【００３８】
各液晶表示素子への書き込みについて、１フィールド（または１フレーム）の期間を、黒書き込み期間、映像書き込み期間および映像ＨＯＬＤ期間に分け、黒書き込み期間内に逆転移防止用の黒色データの書き込みを行い、映像書き込み期間内に表示用データの書き込みを行う。
【００３９】
図１０に示すゲートパルスとは、各走査線のゲート信号の状態を示している。ゲートパルスが発生している（ゲート信号がＨｉｇｈになっている）期間に、液晶表示素子へ電圧が供給され書き込みが行われる。
【００４０】
図８の場合には、１Ｈ期間毎の、前側の期間に黒色データを書き込むためのゲートパルスを、後ろ側の期間に表示用データを書き込むためのゲートパルスを、それぞれ発生させていた。１フィールド期間全体にわたって、１フィールド分の表示用データおよび黒色データを１Ｈ期間分ずつ書き込んでいたので、１フィールド分の表示用データおよび黒色データの書き込みには、それぞれ１フィールド期間の５０％ずつの期間を使用していたことになる。
【００４１】
これに対して、図１０の場合には、１フィールド分の黒色データを書き込む黒書き込み期間を１フィールド期間の２５％とし、１フィールド分の表示用データを書き込む映像書き込み期間を１フィールド期間の２０％としており、それぞれ図８の場合よりも短い期間としている。これらのそれぞれの各期間内に、全走査線上にある各液晶表示素子に順に書き込んでいくので、ゲートパルスの幅も、図１０の場合には図８の場合よりも短くなっている。
【００４２】
まず、黒書き込み期間内に、各走査線に順次ゲートパルスを発生させていき、逆転移防止用の黒色データを書き込んでいく。その後、映像書き込み期間内に、各走査線に順次ゲートパルスを発生させていき、フレームメモリ１１５に蓄積しておいた１つ前のフィールドの表示用データを書き込んでいく。ここで、黒書き込み期間に黒色データを書き込む際に発生させるゲートパルスの幅は、映像書き込み期間に表示用データを書き込む際に発生させるゲートパルスの幅と同じパルス幅である。
【００４３】
そして、映像ＨＯＬＤ期間にはゲートをＯＦＦさせておき、全液晶表示素子が応答した時点以降で、次の黒色データが書き込まれる前までの期間内にバックライト１３０が点灯するように、タイミング制御部１３３がバックライト１３０のＯＮ／ＯＦＦを制御する。図１０の場合には、１フィールド期間の最後の２５％の期間、バックライト１３０が点灯するように制御される。
【００４４】
応答速度の速いＯＣＢモードの液晶表示素子および短残光型の冷陰極管等の応答速度の速いバックライトを用いることにより、このように、表示用データに対して液晶表示素子が応答している期間内のみにバックライト１３０を点灯させる方式を実現できる。
【００４５】
このように制御することにより、ＯＣＢモードの液晶表示素子を用いて、動画視認性が非常によいインパルス型の映像表示を実現できる。また、液晶表示素子が黒書き込み期間に書き込まれた黒色データに応答している期間にはバックライト１３０は消灯しているので、コントラストにも優れ、消費電力も低減できる。
【００４６】
なお、図１０に示す画素書き込みの各期間に示す符号（＋、−）は、液晶表示素子にデータを書き込む際に供給する電圧の極性を示している。この場合、１フィールド毎に、液晶表示素子への書き込み電圧の極性を反転させている。
【特許文献１】特開２００３−２８０６１７号公報
【発明の開示】
【発明が解決しようとする課題】
【００４７】
しかしながら、図９および図１０で説明したような、液晶表示素子が表示用データに応答している期間のみにバックライトに照明させる方式を用いると、逆転移防止のために挿入する黒色データに対応する電圧を供給するときに液晶表示素子への書き込み不足になり易いという問題があった。また、低温の場合には、逆転移防止のための黒色データの液晶表示素子への書き込み不足のためにコントラストが低下してしまうという問題があった。
【００４８】
逆転移防止用に挿入する黒色データを書き込む際に供給する電圧は、表示データを書き込む際に供給する電圧よりも大きな電圧が供給される。さらに、極性を反転させて大きな電圧を供給する場合には、極性を反転させない場合や、極性を反転させても低い電圧を供給する場合よりも、液晶表示素子へ書き込み難くなる。
【００４９】
図１０に示すような、液晶表示素子が表示用データに応答している期間のみにバックライトに照明させる方式の場合は、図８に示す従来の駆動方式に比べて黒色データを書き込む際のゲートパルスの幅が狭くなっており、かつ、直前の表示用データに対して供給した電圧から極性を反転させて次の逆転移防止のための黒色データを書き込むので、その黒色データを書き込む際に、液晶表示素子への書き込み不足となり易い。
【００５０】
図１１は、液晶表示素子が表示用データに応答している期間のみにバックライトに照明させる方式において、液晶表示素子への書き込み不足が発生する場合の動作を説明するタイミングチャートを示している。白表示を行う場合、および低温時に黒表示を行う場合の、それぞれの液晶表示素子に充電される電圧の状態を示している。
【００５１】
ゲートパルスが発生している期間のみに液晶表示素子への電圧が供給されるため、ゲートパルスが発生している期間内に、必要な電圧値に達するまで液晶表示素子に充電されない場合には、書き込み不足となってしまう。
【００５２】
図１１に示す「挿入用黒データの所定電圧」とは、逆転移防止のために挿入する黒色データに対して液晶表示素子に書き込まれるべき電圧を示している。黒色データに対して、液晶表示素子がこの所定電圧値まで充電されれば逆転移を防止できる。
【００５３】
しかし、液晶表示素子へ書き込み難い白表示をしている場合には、図１１の「白表示時」に示すように、黒書き込み期間のゲートパルスが発生している期間内に、液晶表示素子がこの所定電圧値まで充電されず、書き込み不足となって逆転移が発生してしまう。
【００５４】
また、低温になると逆転移の現象は発生し難くなるが、黒表示を行う場合に、表示用データに対して液晶表示素子が黒色に対応する電圧まで充電されないために、コントラストが低下してしまう。
【００５５】
図１１に示す「表示用黒データの所定電圧」とは、表示用の黒色データに対して液晶表示素子に書き込まれるべき電圧を示している。表示用の黒色データに対して、液晶表示素子がこの所定電圧値まで充電されれば正常に黒色が表示される。
【００５６】
しかし、低温時に黒表示を行う場合には、図１１の「低温黒表示時」に示すように、黒書き込み期間に逆転移防止のための黒色データを書き込む際に、液晶表示素子への書き込み不足となって電位が十分に上がらないため、続く映像書き込み期間に表示用データの黒色データを書き込む際に、液晶表示素子が表示用の黒色データに対する所定電圧値まで充電されなくなってしまう。その結果、黒色が中間色で表示されてしまい、コントラストが低下してしまう。
【００５７】
本発明は、上述した従来の課題を解決するもので、液晶表示素子が表示用データに応答している期間のみにバックライトに照明させる表示方式において、逆転移防止のために挿入する黒色データに対応する電圧を供給する際の液晶表示素子への書き込み不足を抑制できる、液晶表示装置および液晶表示装置の駆動方法を提供することを目的とする。
【課題を解決するための手段】
【００５８】
上述した課題を解決するために、第１の本発明は、
マトリックス状に配置された信号線および走査線、および前記信号線および前記走査線の交点に設けられたＯＣＢモード液晶を使用した液晶表示素子を有する液晶表示パネルと、
少なくとも１つ前の１フィールドまたは１フレーム分の表示データを一時蓄積するフレームメモリと、
前記走査線にゲート信号を供給するゲートドライバと、
１フィールドまたは１フレームの期間内に順に設けられた、黒書き込み期間、表示データ書き込み期間、および表示データＨＯＬＤ期間のうち、前記黒書き込み期間には、黒色データに対応する電圧を前記信号線に供給し、前記表示データ書き込み期間には、前記フレームメモリに一時蓄積しておいた前のフィールドまたはフレームの表示データに対応する電圧を前記信号線に供給するソースドライバと、
前記ゲート信号がＯＮされない状態としておく前記表示データＨＯＬＤ期間のうちの、一部の期間にのみ前記液晶表示パネルを照明する、前記液晶表示パネルの背面に配置されたバックライトとを備えた液晶表示装置であって、
前記ゲートドライバは、前記表示データ書き込み期間に前記ソースドライバが前記表示データに対応する電圧を供給する際には、前記各走査線に対する前記各ゲート信号をＯＮにする期間を互いに同じになるようにし、前記黒書き込み期間に前記ソースドライバが前記黒色データに対応する電圧を供給する際には、前記各走査線に対する前記各ゲート信号をＯＮにする期間が、前記表示データに対応する電圧を供給する際の前記各走査線に対する前記各ゲート信号をＯＮにする前記期間よりも長くなるようにする、液晶表示装置である。
【００５９】
また、第２の本発明は、
前記黒書き込み期間に前記ソースドライバが前記黒色データに対応する電圧を供給する際に、前記ゲートドライバが前記各走査線に対する前記各ゲート信号をＯＮにする期間は、少なくとも前記液晶表示素子が逆転移しないために必要な所定電圧値まで充電できる期間であり、
前記ゲートドライバは、前記各液晶表示素子について、前記黒書き込み期間に前記黒色データに対応する電圧が供給された後、前記表示データ書き込み期間に前記表示データに対応する電圧が供給されるまでの期間が、少なくともいずれの前記液晶表示素子についても逆転移しない所定期間以上となるように、前記黒書き込み期間において前記各走査線の前記各ゲート信号を順にＯＮにしていく、第１の本発明の液晶表示装置である。
【００６０】
また、第３の本発明は、
前記黒書き込み期間に前記ソースドライバが前記黒色データに対応する電圧を供給する際に、前記ゲートドライバが前記各走査線に対する前記各ゲート信号をＯＮにする期間は、少なくとも前記液晶表示素子が逆転移しないために必要な所定電圧値まで充電できる期間であり、
前記ゲートドライバは、前記各液晶表示素子について、前記黒書き込み期間に前記黒色データに対応する電圧が供給された後、前記表示データ書き込み期間に前記表示データに対応する電圧が供給されるまでの期間が、少なくともいずれの前記液晶表示素子についても逆転移しない所定期間以上となるように、前記黒書き込み期間において前記各走査線の前記各ゲート信号を同時にＯＮにする、第１の本発明の液晶表示装置である。
【００６１】
また、第４の本発明は、
前記ゲートドライバは、前記黒書き込み期間に前記ソースドライバが前記黒色データに対応して供給する電圧の極性が、その直前の前記表示データ書き込み期間に前記ソースドライバが前記表示データに対応して供給する電圧の極性から反転する場合にのみ、その前記黒書き込み期間における前記各走査線に対する前記各ゲート信号をＯＮにする期間を、前記表示データに対応する電圧を供給する際の前記各走査線に対する前記各ゲート信号をＯＮにする前記期間よりも長くする、第１の本発明の液晶表示装置である。
【００６２】
また、第５の本発明は、
マトリックス状に配置された信号線および走査線、および前記信号線および前記走査線の交点に設けられたＯＣＢモード液晶を使用した液晶表示素子を有する液晶表示パネルと、少なくとも１つ前の１フィールドまたは１フレーム分の表示データを一時蓄積するフレームメモリと、前記走査線にゲート信号を供給するゲートドライバと、１フィールドまたは１フレームの期間内に順に設けられた、黒書き込み期間、表示データ書き込み期間、および表示データＨＯＬＤ期間のうち、前記黒書き込み期間には、黒色データに対応する電圧を前記信号線に供給し、前記表示データ書き込み期間には、前記フレームメモリに一時蓄積しておいた前のフィールドまたはフレームの表示データに対応する電圧を前記信号線に供給するソースドライバと、前記ゲート信号がＯＮされない状態としておく前記表示データＨＯＬＤ期間のうちの、一部の期間にのみ前記液晶表示パネルを照明する、前記液晶表示パネルの背面に配置されたバックライトとを備えた液晶表示装置の駆動方法であって、
前記表示データ書き込み期間に前記ソースドライバが前記表示データに対応する電圧を供給する際の、前記各走査線に対する前記各ゲート信号をＯＮにする期間を互いに同じになるようにし、
前記黒書き込み期間に前記ソースドライバが前記黒色データに対応する電圧を供給する際の、前記各走査線に対する前記各ゲート信号をＯＮにする期間を、前記表示データに対応する電圧を供給する際の前記各走査線に対する前記各ゲート信号をＯＮにする前記期間よりも長くなるようにする、液晶表示装置の駆動方法である。
【発明の効果】
【００６３】
本発明により、液晶表示素子が表示用データに応答している期間のみにバックライトに照明させる表示方式において、逆転移防止のために挿入する黒色データに対応する電圧を供給する際の液晶表示素子への書き込み不足を抑制できる、液晶表示装置および液晶表示装置の駆動方法を提供できる。
【発明を実施するための最良の形態】
【００６４】
以下、本発明の実施の形態について、図面を参照しながら説明する。
【００６５】
（実施の形態１）
図１は、本発明の実施の形態１の液晶表示装置の構成を示すブロック図である。
【００６６】
本実施の形態１の液晶表示装置は、液晶表示パネル１０、バックライト１１、ソースドライバ１２、ゲートドライバ１３、コントローラ１４、フレームメモリ１５、入力電源１６、および液晶駆動電圧発生回路１７を備えている。
【００６７】
液晶表示パネル１０は、信号線と走査線がマトリックス状に配置され、それらの交点にＯＣＢモードの液晶表示素子が設けられている液晶表示パネルである。
【００６８】
バックライト１１は、液晶表示パネル１０の背面に配置されており、複数の短残光型の冷陰極管で液晶表示パネル１０を照明する。
【００６９】
フレームメモリ１５は、入力される映像信号のデータの１つ前のフィールドのデータを一時蓄積しておく記憶手段である。
【００７０】
入力電源１６は、バックライト１１、コントローラ１４および液晶駆動電圧発生回路１７に電力を供給し、液晶駆動電圧発生回路１７は、表示データを液晶表示パネル１０に表示させるタイミングに応じて、ソースドライバ１２およびゲートドライバ１３に供給する電圧を調整する。
【００７１】
ゲートドライバ１３は、液晶表示パネル１０の走査線にゲート信号を供給し、ソースドライバ１２は、液晶表示パネル１０の信号線に表示用信号に対応する電圧を供給する。
【００７２】
コントローラ１４は、信号処理部２１およびタイミング制御部２２を備えており、ソースドライバ１２は、Ｄ／Ａ変換部２３およびシフトレジスタ２４を備えている。タイミング制御部２２は、バックライト１１のＯＮ／ＯＦＦ制御を行うとともに、ゲートドライバ１３が供給するゲート信号の出力タイミングを制御する。
【００７３】
次に、図１を用いて、本実施の形態１の液晶表示装置における表示動作について説明する。
【００７４】
ＲＧＢデータである映像信号は、フレームメモリ１５に一時的に蓄積されていく。
【００７５】
コントローラ１４の信号処理部２１は、フレームメモリ１５に蓄積されている一つ前のフィールドデータを読み込み、その映像信号に対して階調補正やガンマ補正処理を行なう。そして、信号処理部２１は、タイミング制御部２２からのスタートパルスにしたがって、その補正処理を行なった表示用のデータを１行画素分ずつソースドライバ１２のシフトレジスタ２４に転送していく。
【００７６】
また、信号処理部２１は、タイミング制御部２２からのスタートパルスにしたがって、
逆転移防止のための黒色のデータも１行画素分ずつシフトレジスタ２４へ転送していく。
【００７７】
そして、コントローラ１４のタイミング制御部２２は、ソースドライバ１２のＤ／Ａ変換部２３に対してロードパルスを出力する。Ｄ／Ａ変換部２３は、ロードパルスが入力されたタイミングに、シフトレジスタ２４に格納されたデータを１行画素分同時に取得し、Ｄ／Ａ変換して各表示用データに対応した電圧を液晶表示パネル１０の信号線に出力する。
【００７８】
また、このとき、タイミング制御部２２は、ゲートドライバ１３から各走査線に出力するゲート信号の出力タイミングを制御するとともに、液晶表示パネル１０の各液晶表示素子が表示用データに応答するタイミングにバックライト１１を点灯させて、表示用データを液晶表示パネル１０に表示させる。
【００７９】
次に、図１および図２を用いて、本実施の形態１の液晶表示装置における、各液晶表示素子への書き込み動作の詳細について説明する。
【００８０】
図２は、本実施の形態１の液晶表示装置で表示する際の動作を説明するタイミングチャートを示している。
【００８１】
各液晶表示素子への書き込みについて、１フィールド（または１フレーム）の期間を、黒書き込み期間、映像書き込み期間および映像ＨＯＬＤ期間に分け、黒書き込み期間内に逆転移防止用の黒色データの書き込みを行い、映像書き込み期間内に表示用データの書き込みを行う。なお、図２に示す画素書き込みの各期間に示す符号（＋、−）は、液晶表示素子にデータを書き込む際に供給する電圧の極性を示している。この場合、１フィールド毎に、画素への書き込み電圧の極性を反転させている。
【００８２】
図２に示すゲートパルスとは、各走査線のゲート信号の状態を示している。ゲートパルスが発生している（ゲート信号がＨｉｇｈになっている）期間に、液晶表示素子へ電圧が供給され書き込みが行われる。
【００８３】
まず、黒書き込み期間内に、各走査線に順次ゲートパルスを発生させていき、逆転移防止のための黒色データを書き込んでいく。その後、映像書き込み期間内に、各走査線に順次ゲートパルスを発生させていき、フレームメモリ１５に蓄積しておいた１つ前のフィールドの表示用データを書き込んでいく。ここで、黒書き込み期間に黒色データを書き込む際に発生させるゲートパルスの幅は、タイミング制御部２２によって、映像書き込み期間に表示用データを書き込む際に発生させるゲートパルスの幅の３倍のパルス幅となるように制御される。
【００８４】
そして、映像ＨＯＬＤ期間にはゲートをＯＦＦさせておき、全液晶表示素子が応答した時点以降で、次の黒色データが書き込まれる前までの期間内にバックライト１１が点灯するように、タイミング制御部２２がバックライト１１のＯＮ／ＯＦＦを制御する。図２に示す本実施の形態１の場合には、１フィールド期間の最後の２５％の期間、バックライト１１が点灯するように制御される。
【００８５】
このように制御することにより、ＯＣＢモードの液晶表示素子を用いて、動画視認性が非常によいインパルス型の映像表示を実現できる。また、液晶表示素子が黒書き込み期間に書き込まれた黒色データに応答している期間にはバックライト１１は消灯しているので、コントラストにも優れ、消費電力も低減できる。
【００８６】
本実施の形態１の液晶表示装置では、逆転移防止のための黒色データを書き込む際に発生させるゲートパルスの幅を大きくし、各液晶表示素子に電圧が供給される期間を長くしているので、液晶表示素子への書き込み不足が発生しない。
【００８７】
次に、本実施の形態１の液晶表示装置で、液晶表示素子への書き込み不足を抑制できる原理について説明する。
【００８８】
図３は、本実施の形態１の液晶表示装置において、液晶表示素子への書き込み不足を抑制できる動作を説明するタイミングチャートを示している。白表示を行う場合、および低温時に黒表示を行う場合の、それぞれの液晶表示素子に充電される電圧の状態を示している。
【００８９】
破線で示す部分が、従来の液晶表示装置の表示方法におけるゲートパルスおよび液晶表示素子に充電される電圧の状態を示しており、実線で示す部分が、本実施の形態１の液晶表示装置におけるゲートパルスおよび液晶表示素子に充電される電圧の状態を示している。
【００９０】
まず、液晶表示素子へ書き込み難い白表示をしている場合について説明する。
【００９１】
図３に示す「挿入用黒データの所定電圧」とは、逆転移防止のために挿入する黒色データに対して液晶表示素子に書き込まれるべき電圧を示している。黒色データに対して、液晶表示素子がこの所定電圧値まで充電されれば逆転移を防止できる。
【００９２】
なお、この「挿入用黒データの所定電圧」が、本発明の、液晶表示素子が逆転移しないために必要な所定電圧値の一例にあたる。
【００９３】
従来の液晶表示装置の表示方法では、図３の「白表示時」の破線で示すように、黒書き込み期間のうちのゲートパルスが発生している期間内に、液晶表示素子がこの所定電圧値まで充電されず、書き込み不足となってしまう。
【００９４】
これに対して、本実施の形態１の液晶表示装置の場合には、図３の「白表示時」の実線で示すように、黒書き込み期間におけるゲートパルスの幅を表示用データを書き込む際のゲートパルス幅の３倍の幅にしているため、ゲートパルスが発生している期間内に液晶表示素子が「挿入用黒データの所定電圧」値まで充電されるので、書き込み不足にはならない。したがって、逆転移の現象を確実に防止することができる。
【００９５】
次に、逆転移の現象は発生し難くなる低温時に黒表示を行う場合について説明する。
【００９６】
温度が下がるにしたがって逆転移の現象は発生し難くなってくるので、図３に示した「挿入用黒データの所定電圧」は、温度が下がるにしたがってより低い電圧値となっていく。したがって、逆転移防止の観点からは、温度が低くなるにつれて、黒書き込み期間に液晶表示素子に充電しなければならない電圧値は、より低い電圧値でもよくなってくる。
【００９７】
図２に示す「表示用黒データの所定電圧」とは、表示用の黒色データに対して液晶表示素子に書き込まれるべき電圧を示している。表示用の黒色データに対して、液晶表示素子がこの所定電圧値まで充電されれば正常に黒色が表示される。
【００９８】
従来の液晶表示装置の表示方法では、図３の「低温黒表示時」の破線で示すように、黒書き込み期間に逆転移防止のための黒色データを書き込む際に、液晶表示素子への書き込み不足となって電位が十分に上がらない。そのために、その黒書き込み期間に続く映像書き込み期間に表示用データの黒色データを書き込む際に、ゲートパルスが発生している期間内に液晶表示素子が表示用の黒色データに対する所定電圧値まで充電されなくなってしまう。その結果、黒色が中間色で表示されてしまい、コントラストが低下してしまう。
【００９９】
これに対して、本実施の形態１の液晶表示装置の場合には、図３の「低温黒表示時」の実線で示すように、黒書き込み期間におけるゲートパルスの幅を表示用データを書き込む際のゲートパルス幅の３倍の幅にしているので、黒書き込み期間に逆転移防止のための黒色データを書き込む際に、従来の液晶表示装置の表示方法の場合よりも高い電圧まで液晶表示素子が充電される。したがって、その黒書き込み期間に続く映像書き込み期間に表示用の黒色データを書き込む際に、ゲートパルスが発生している期間内に液晶表示素子が「表示用黒データの所定電圧」値まで充電されるので、黒色が正常に表示され、低温時においてもコントラストが低下しない表示を実現できる。
【０１００】
なお、低温黒表示時においては、黒書き込み期間における逆転移防止用の黒色データに対して、液晶表示素子が常温時における「挿入用黒データの所定電圧」値までは充電されないが、低温時には逆転移が発生し難くなるので、これによって逆転移が発生することはない。
【０１０１】
図２に示すように、本実施の形態１の液晶表示装置では、黒書き込み期間において、ゲートパルスの幅を大きくしたことにより、複数の走査線に対して同時にゲート信号がＯＮとなる期間が生じるが、いずれの走査線上の液晶表示素子に書き込むデータも同じ黒色データであり、また、これらの逆転移防止用の黒色データが液晶表示素子に書き込まれている期間にはバックライト１１は消灯しており、これらの黒色データが表示されることも無いので、このように同時にゲート信号がＯＮになる期間があっても問題ない。
【０１０２】
なお、本実施の形態１の液晶表示装置では、黒書き込み期間のゲートパルスの幅を、映像書き込み期間における表示用データに対するゲートパルス幅の３倍としたが、逆転移を防止するためには、液晶表示素子に充電される電圧値が、図３の「白表示時」における「挿入用黒データの所定電圧」値に達する期間以上であればよい。また、低温時のコントラストの低下を防止するためには、図３の「低温黒表示時」における表示用の黒色データに対して液晶表示素子に充電される電圧値が、「表示用黒データの所定電圧」値に達する期間以上であればよい。
【０１０３】
つまり、これらの黒書き込み期間のゲートパルスの幅は、その液晶表示装置の特性に合わせて、表示用データに対するゲートパルス幅の２倍、４倍、５倍、・・・などとしてもよい。また、黒書き込み期間のゲートパルスの幅は、表示用データに対するゲートパルス幅の整数倍でなくてもよく、１．５倍、２．５倍などとしてもよい。
【０１０４】
（実施の形態２）
次に、本発明の実施の形態２の液晶表示装置の表示動作について説明する。
【０１０５】
本実施の形態２の液晶表示装置は、実施の形態１の液晶表示装置と同じ構成であり、図１に示す通りである。タイミング制御部２２のゲートドライバ１３に対する制御内容が、実施の形態１の液晶表示装置と異なる。
【０１０６】
図２において、黒書き込み期間においてゲートパルスを発生させるタイミングは、各液晶表示素子について、逆転移防止のための黒色データに対する電圧が充電された状態の期間が、逆転移を防止できる最小期間（それ以上の期間、黒色データに対する電圧が充電されていれば逆転移が発生しない期間）以上になるタイミングであればよい。
【０１０７】
したがって、必ずしも、図２に示すような、映像書き込み期間における表示用データに対するゲートパルスのタイミングに同期させるようなタイミングとしなくてもよい。
【０１０８】
図４は、本実施の形態２の液晶表示装置で表示する際の動作を説明するタイミングチャートの一例を示している。
【０１０９】
図４の場合、図１に示すタイミング制御部２２は、黒書き込み期間には、全ゲート線に対して、同時に同じ幅のゲートパルスを発生させる。このときのゲートパルスの幅は、実施の形態１で説明したように、その液晶表示装置の特性に合わせた幅に設定すればよい。
【０１１０】
タイミング制御部２２は、逆転移防止のための黒色データに対する電圧が充電された状態の期間が最も短い液晶表示素子のその期間が、逆転移が発生しない最小期間（それ以上の期間、黒色データに対する電圧が充電されていれば逆転移が発生しない期間）以上となるタイミングで、黒書き込み期間のゲートパルスを発生させる。
【０１１１】
なお、逆転移が発生しない最小期間が、本発明の逆転移しない所定期間の一例にあたる。
【０１１２】
図４の場合には、表示用データを書き込む際に発生させる各走査線のゲートパルスの中で、一番上に記載の走査線のゲートパルスが最も早くＯＮになるので、一番上の走査線上の液晶表示素子に逆転移防止用の黒色データに対する電圧が充電された状態の期間が、逆転移が発生しない最小期間以上の期間となればよい。
【０１１３】
したがって、図４の場合には、黒書き込み期間の最初の時点から、逆転移防止のための黒色データを書き込むためのゲートパルスをＯＮにしているが、一番上の走査線上の液晶表示素子における黒色データに対する電圧が充電された状態の期間が、逆転移が発生しない最小期間以上の期間となるタイミングであれば、黒書き込み期間内においてこれ以外のタイミングでゲートパルスをＯＮにさせてもよい。
【０１１４】
図４に示す本実施の形態２の液晶表示装置では、全走査線に対して、黒書き込み期間に発生させるゲートパルスのタイミングを同じタイミングにすることができるので、ゲートパルスの出力タイミングの制御を容易に行うことができる。
【０１１５】
しかし、全ゲートパルスを同時にＯＮにさせると、突入電流の発生により液晶表示装置の動作に悪影響を与える場合がある。
【０１１６】
図５は、本実施の形態２の液晶表示装置で表示する際の動作を説明するタイミングチャートの他の一例を示している。
【０１１７】
図５の場合には、タイミング制御部２２は、各走査線へのゲートパルスのタイミングを、ほぼ同タイミングではあるが、突入電流が発生しない程度に少しずつずらしたタイミングになるよう制御している。このように制御することで、突入電流の発生を防止することができる。
【０１１８】
なお、図５では、各走査線のゲートパルスのタイミングを少しずつずらすようなタイミングとしたが、例えば、走査線を複数のグループに分けて、各グループ内の走査線のゲートパルスのタイミングを同じとし、グループ毎に、そのゲートパルスのタイミングをずらすようにしてもよい。
【０１１９】
なお、逆転移が発生しない最小期間は、液晶の特性や、使用される温度環境などによって異なるので、図４や図５で設定する各走査線のゲートパルスのタイミングは、使用される液晶表示装置の特性や使用される環境に応じて設定すればよい。
【０１２０】
なお、各実施の形態では、フレームメモリが一時蓄積するデータは、一つ前のフィールドのデータとしたが、フレーム単位で表示させる液晶表示装置の場合には、１つ前のフレームのデータを蓄積する。また、１つ前のフィールドまたはフレームデータに限らず、さらに複数個前のデータから直前のデータまでを蓄積できるようにし、複数個前のフィールドデータまたはフレームデータを順次表示させていくようにしてもよい。
【０１２１】
また、各実施の形態では、１フィールド毎に液晶表示素子に供給する電圧を反転させることとしたので、全てのフィールドについて、逆転移防止のための黒色データ書き込み時のゲートパルス幅を大きくすることとした。同じ極性の電圧で続けて書き込む際には、極性を反転させて書き込む場合よりも書き込み不足は生じ難いので、例えば複数フィールド毎に液晶表示素子に供給する電圧を反転させるような液晶表示装置の場合には、極性が反転したときのみゲートパルス幅を大きくするようにしてもよい。
【０１２２】
また、各実施の形態では、バックライトとして短残光型の冷陰極管を用いることとしたが、これ以外にも立ち上がりの早いバックライトであれば本発明に適用でき、例えばＬＥＤバックライトなどを用いてもよい。
【産業上の利用可能性】
【０１２３】
本発明にかかる液晶表示装置および液晶表示装置の駆動方法は、液晶表示素子が表示用データに応答している期間のみにバックライトに照明させる方式において、逆転移防止のために挿入する黒色データに対応する電圧を供給する際の液晶表示素子への書き込み不足を抑制できる効果を有するので、ＯＣＢモード液晶を用いた液晶表示装置およびその駆動方法等に有用である。
【図面の簡単な説明】
【０１２４】
【図１】本発明の実施の形態１および２の液晶表示装置の構成を示すブロック図
【図２】本発明の実施の形態１の液晶表示装置で表示する際の動作を説明するタイミングチャートを示す図
【図３】本発明の実施の形態１の液晶表示装置において、液晶表示素子への書き込み不足を抑制できる動作を説明するタイミングチャートを示す図
【図４】本発明の実施の形態２の液晶表示装置で表示する際の動作を説明するタイミングチャートの一例を示す図
【図５】本発明の実施の形態２の液晶表示装置で表示する際の動作を説明するタイミングチャートの他の一例を示す図
【図６】（ａ）ＯＣＢ液晶の、白表示の場合のベンド状態を示す図、（ｂ）ＯＣＢ液晶の、黒表示の場合のベンド状態を示す図、（ｃ）ＯＣＢ液晶のスプレイ状態を示す図
【図７】従来のＯＣＢモードの液晶表示素子を用いた液晶表示装置の構成図
【図８】従来の液晶表示装置における、２倍速変換による逆転移防止駆動時のタイミングチャートを示す図
【図９】従来の、液晶表示素子が表示用データに応答している期間のみにバックライトに照明させる方式の液晶表示装置の構成図
【図１０】従来の、液晶表示素子が表示用データに応答している期間のみにバックライトに照明させる方式の液晶表示装置の動作を説明するタイミングチャートを示す図
【図１１】従来の、液晶表示素子が表示用データに応答している期間のみにバックライトに照明させる方式の液晶表示装置において、液晶表示素子への書き込み不足が発生する場合の動作を説明するタイミングチャートを示す図
【符号の説明】
【０１２５】
１０  液晶表示パネル
１１  バックライト
１２  ソースドライバ
１３  ゲートドライバ
１４  コントローラ
１５  フレームメモリ
１６  入力電源
１７  液晶駆動電圧発生回路
２１  信号処理部
２２  タイミング制御部
２３  Ｄ／Ａ変換部
２４  シフトレジスタ
【図１】
2007163703.tif 000003
【図２】
2007163703.tif 000004
【図３】
2007163703.tif 000005
【図４】
2007163703.tif 000006
【図５】
2007163703.tif 000007
【図６】
2007163703.tif 000008
【図７】
2007163703.tif 000009
【図８】
2007163703.tif 000010
【図９】
2007163703.tif 000011
【図１０】
2007163703.tif 000012
【図１１】
2007163703.tif 000013